(57)【特許請求の範囲】
【請求項１】
停電前の給湯機の運転スイッチＯＮ／ＯＦＦ状態を記憶し停電中も記憶保持可能なメモリと、復電時に前記給湯機をこのメモリに記憶された運転スイッチＯＮ／ＯＦＦ状態にする復電制御手段と、この復電制御手段を無効に設定する無効設定手段とを備え、前記無効設定手段が無効設定されていると復電時に前記給湯機を運転スイッチＯＦＦ状態にするようにしたことを特徴とする給湯制御装置。
【発明の詳細な説明】
【０００１】
【発明の属する技術分野】
本発明は給湯機の制御を行う給湯制御装置に関するものである。
【０００２】
【従来の技術】
従来よりこの種の給湯制御装置においては、給湯機の運転ＯＮ／ＯＦＦをタクト式の運転スイッチで切り換えるようにしており、電源投入時（復電時）にはマイコンのＲＯＭから初期データを読み込み運転スイッチＯＦＦ状態で給湯機を起動し、ユーザーが運転スイッチをＯＮすることで運転スイッチＯＮ状態となって燃焼給湯可能となるのが通常であった。
【０００３】
【発明が解決しようとする課題】
しかし、沖縄などの一部地域においては、給湯機に供給する元電源自体を入／切する習慣があり、給湯使用後は元電源を切ってしまうため再度の電源投入時は再び運転スイッチＯＦＦ状態で起動されるため、この地域のユーザーは給湯機を使用しようとするたびに元電源を入れた後に運転スイッチをＯＮするという手間が必要で不便なものであった。
【０００４】
【課題を解決するための手段】
そこで、本発明は前記課題を解決するため、請求項１では、停電前の給湯機の運転スイッチＯＮ／ＯＦＦ状態を記憶し停電中も記憶保持可能なメモリと、復電時に前記給湯機をこのメモリに記憶された運転スイッチＯＮ／ＯＦＦ状態にする復電制御手段と、この復電制御手段を無効に設定する無効設定手段とを備え、前記無効設定手段が無効設定されていると復電時に前記給湯機を運転スイッチＯＦＦ状態にするようにしたものである。
【０００５】
これにより、無効設定手段を設定していない場合は、停電後の復電時に、停電前の給湯機が運転スイッチＯＮ状態ならば運転スイッチＯＮ状態で給湯機を起動し、停電前の給湯機が運転スイッチＯＦＦ状態ならば運転スイッチＯＦＦ状態で給湯機を起動し、また無効設定手段を無効に設定すると、停電後の復電時に、停電前の給湯機の運転スイッチＯＮ／ＯＦＦ状態に関わらず運転スイッチＯＦＦ状態で給湯機を起動するものである。
【０００８】
【発明の実施の形態】
次に、本発明の一実施形態を図面に基づいて説明する。
図１において、１は給湯機本体、２は給湯機１内に設けられた熱交換器（図示せず）を加熱するバーナ、３は熱交換器（図示せず）の入口側または出口側に設けられ加熱すべき水の流れを検知する流水スイッチ、４は一定の振動（例えば１７０Ｇａｌ（ｃｍ／ｓ２））があると作動する自動復帰型の対震スイッチ（異常検知手段）、５は電源ライン中に設けられた停電検知回路である。
【０００９】
６は給湯制御装置で、制御データなどを記憶するＲＡＭ７および給湯機１の制御シーケンスを記憶したＲＯＭ（図示せず）を内蔵したマイコンより構成された制御手段（復電制御手段および燃焼開始手段）８と、各種の設定を停電中も記憶保持可能で電気的に書込および消去が可能な半導体不揮発性メモリ（ＥＥＰＲＯＭ）９と、基板上のＤＩＰスイッチより構成された無効設定手段１０と、通信回路１１とを備えているものである。
【００１０】
１２はこの給湯機１のリモコンで、表示データなどを記憶するＲＡＭ１３および制御シーケンスを記憶したＲＯＭ（図示せず）を内蔵したマイコン１４と、運転の状態を表示する表示部１５と、給湯機１の運転スイッチＯＮ／ＯＦＦ状態を切り換えるタクト式の運転スイッチ１６と、前記給湯制御装置６の通信回路１１と２芯ケーブル１７で接続され制御データのやりとりを行う通信回路１８とを備えているものである。
【００１１】
前記給湯制御装置６のＥＥＰＲＯＭ９には、リモコン１２の運転スイッチＯＮ／ＯＦＦ状態（すなわち給湯機１の運転ＯＮ／ＯＦＦ状態）と、対震スイッチ４の作動等の異常内容データとが書き込まれるもので、ここでは、前記停電検知回路５が停電を検知したタイミングで、それまでＲＡＭ７に記憶していた運転スイッチＯＮ／ＯＦＦ状態と、対震スイッチ４の作動等の異常内容データとをＥＥＰＲＯＭ９に書き込むものである。なお、異常が発生していないときは異常なしデータが書き込まれる。
【００１２】
ここで、前記制御手段８は、前記ＥＥＰＲＯＭ９に記憶された内容を給湯機１の電源投入時（停電後の復電時）にＲＡＭ７に読み込んで給湯機１を起動するもので、給湯機１の運転スイッチＯＮ状態が記憶されていれば、電源投入時（復電時）に給湯機１を運転スイッチＯＮ状態で起動し、運転スイッチＯＦＦ状態が記憶されていれば、電源投入時（復電時）に給湯機を運転スイッチＯＦＦ状態で起動するものである。
【００１３】
そして、前記無効設定手段１０は、前記ＥＥＰＲＯＭ９に記憶された給湯機１の運転スイッチＯＮ／ＯＦＦ状態の記憶データの無効を設定するもので、前記制御手段８はこの無効設定手段１０の設定状態を読み込み、無効設定されていない場合は、ＥＥＰＲＯＭ９に運転スイッチＯＮ状態が記憶されていれば電源投入時（復電時）に運転スイッチＯＮ状態で給湯機１を起動させ、また、無効に設定されている場合は、ＥＥＰＲＯＭ９に運転スイッチＯＮ状態が記憶されていても、電源投入時（復電時）に運転スイッチＯＦＦ状態で給湯機１を起動させるものである。
【００１４】
また、前記制御手段８は、前記ＥＥＰＲＯＭ９に異常内容データが書き込まれている場合に、前記無効設定手段１０が無効に設定されていなくてかつ前記ＥＥＰＲＯＭ９に運転スイッチＯＮ状態データが書き込まれていたとしても電源投入時（復電時）は運転スイッチＯＦＦ状態で給湯機１を起動させるものである。
【００１５】
そして、給湯機１が運転スイッチＯＮ状態において給湯栓（図示せず）が開かれて流水スイッチ３で流水を検知すると、制御手段（燃焼開始手段）８はバーナ２に燃焼を行わせてお湯を給湯するものである。
【００１６】
次に、この一実施形態の作動を図２のフローチャートに基づいて説明すると、まず、電源投入により給湯制御装置６に電源が供給開始されると（ステップ１、以下Ｓ１と略す）、ＥＥＰＲＯＭ９のデータをチェックし（Ｓ２）、前記無効設定手段１０の設定を読み込んで（Ｓ３）、設定が無効に設定されていなければ（有効設定という）ＥＥＰＲＯＭ９に異常内容データが記憶されているか判断する（Ｓ４）。
【００１７】
ここでは、初回電源投入であるので異常内容データは記憶されておらずに異常なしデータが記憶されている（あるいはＲＯＭから初期値である異常なしデータを読み出す）ので、次のステップへ進み、運転スイッチＯＮ／ＯＦＦ状態データを読み出し、初期設定の運転スイッチＯＦＦ状態データである（あるいはＲＯＭから初期値である運転スイッチＯＦＦ状態データを読み出す）ので（Ｓ５でＯＦＦ）、ＲＡＭ７に運転スイッチＯＦＦ状態データを記憶して運転スイッチＯＦＦ状態で給湯機１を起動するものである（Ｓ６）。
【００１８】
そして、運転スイッチ１６がＯＮされるとＲＡＭ７に運転スイッチＯＮ状態データを記憶すると共に、通常の運転処理を行い（Ｓ７）、その間に対震スイッチ４の作動等による異常が発生しなければ（Ｓ８）、ＲＡＭ７の異常内容をクリアする処理を行うが（Ｓ９）、ここでは異常が発生していないのでＲＡＭ７の異常なしデータにさらに異常なしデータを上書きする処理となる。
【００１９】
そして、停電や元電源自体が切られることにより停電検知回路５が停電を検知すると（Ｓ１０）、ＲＡＭ７に記憶されている運転スイッチＯＮ状態データと異常なしデータをＥＥＰＲＯＭ９に記憶し（Ｓ１１）、一連の処理を停止する（Ｓ１２）。
【００２０】
再び電源が投入（復電）されると（Ｓ１）、先ほどと同様にＳ２からＳ５のステップを経て、今度はＥＥＰＲＯＭ９から運転スイッチＯＮ状態データを読み出すので、運転スイッチＯＮ状態で給湯機１を起動する（Ｓ１３）。これにより、電源投入時（復電時）は前回の運転スイッチＯＮ／ＯＦＦ状態に自動的に復帰するため、元電源を直接入切する地域においても使い勝手がよいものとなる。
【００２１】
また、運転中に対震スイッチ４の作動等により給湯機１に異常が発生すれば（Ｓ８）、この異常内容をＲＡＭ７に記憶し（Ｓ１４）、異常の内容に応じた処理を行うもので、この対震エラーの場合は燃焼を停止してリモコン１２の表示部１５にエラー表示を行い、運転スイッチ１６が再操作されるまで燃焼禁止状態とする。
【００２２】
そして、この異常原因が取り除かれるかまたは安全が確認されて運転スイッチ１６が再操作され異常状態が解除される前に、停電や元電源自体が切られることにより停電検知回路５が停電を検知すると（Ｓ１０）、ＲＡＭ７に記憶されている運転スイッチＯＮ状態データと異常内容データをＥＥＰＲＯＭ９に記憶し（Ｓ１１）、一連の処理を停止する（Ｓ１２）ものである。
【００２３】
その後、再び電源が投入（復電）されると（Ｓ１）、Ｓ２からＳ４のステップを経て、ＥＥＰＲＯＭ９から異常内容データを読み出し、この異常内容データをＲＡＭ７に記憶して（Ｓ１５）、異常の内容に応じた処理を行うと共に、ＥＥＰＲＯＭ９に記憶されている運転スイッチＯＮ／ＯＦＦ状態データがどちらかに関わらず運転スイッチＯＦＦ状態で給湯機１を起動する（Ｓ６）ようにしているので、何らかの異常があるときに、運転スイッチＯＮ状態で起動してしまうといった危険な状況に陥ることがなく非常に安全となる。
【００２４】
具体的には、例えば給湯中（流水スイッチ３がＯＮで燃焼中）に地震が発生して対震スイッチ４が作動して、燃焼停止処理を行った直後に停電検知回路５が停電発生を検知するような状況でも、復電後はＥＥＰＲＯＭ９が運転スイッチＯＮ状態を記憶していても異常内容データも同時にＥＥＰＲＯＭ９に記憶されているので運転スイッチＯＦＦ状態で給湯機１を起動することとなり、もし復電時に流水スイッチ３がＯＮしていても燃焼を開始することがなく安全である。
【００２５】
なお、何らかの異常があるときに復電すると、運転スイッチＯＦＦ状態で給湯機１を起動するのでリモコン１２の表示部１５には異常内容は表示されていないが、運転スイッチ１６を一度操作することで異常内容を表示するものである。また、異常内容がサービスマンによる修理が必要なほど重度である場合は運転スイッチ１６の操作で異常解除できないようにし、給湯制御装置６の基板上のリセットスイッチ（図示せず）の操作によって異常を解除できるようにしておけば不用意に重度な異常が解除されてしまうことがなく、さらなる安全を確保することができる。
【００２６】
また、前記無効設定手段１０が運転スイッチＯＮ／ＯＦＦ状態データの無効な設定（無効設定という）に切り換えられている場合には、ＥＥＰＲＯＭ９内の運転スイッチＯＮ／ＯＦＦ状態データの有無や異常内容データの有無に関わらず運転スイッチＯＦＦ状態で給湯機１を起動するので、地震の頻繁な地域や運転スイッチＯＮ状態で給湯機１を起動することに抵抗感のあるユーザーに対して、マイコンより構成された制御手段８や給湯制御装置６を共通のまま提供することができ、仕様の異なる地域に対応する制御手段８および部品を共用することができコストダウンを計れるものである。
【００２７】
なお、前記無効設定手段１０はこの一実施形態のＤＩＰスイッチに限られることなく、例えばジャンパー線の有無により制御手段８の入力ポートの入力状態（Ｈｉ／Ｌｏｗ）により切り換えたり、リモコン１２のスイッチ操作によりＥＥＰＲＯＭ９に有効／無効の状態を直接記憶させて切り換えたりするようにしてもよい。
【００２８】
また、前記流水スイッチ３は、給湯燃焼の要求を出すために流水を検知するものであって、この一実施形態のように流水スイッチ３に限られることなく、例えば流量カウンタで最低作動流量を検知したら給湯燃焼の要求を出すようにしてもよい。
【００２９】
また、本一実施形態では異常検知手段として対震スイッチ４を挙げているが、これに限られることなく、例えばバーナ２や熱交換器の過熱異常や、バーナ２で燃焼させる燃料供給系統の異常を検知する異常検知手段としてもよいものである。
【００３０】
次に、本発明の別実施形態を図３に基づいて説明する。なお、先の一実施形態と重複する説明は省略することとする。
【００３１】
この別実施形態では、運転スイッチＯＮ状態であっても給湯機に異常が発生していた場合にＥＥＰＲＯＭ９に運転スイッチＯＦＦ状態データを記憶させるようにしているもので、その後の電源投入時（復電時）にはＥＥＰＲＯＭ９から運転スイッチＯＦＦ状態データを読み出すため何らかの異常があるときには運転スイッチＯＦＦ状態で給湯機１を起動するので、異常時に運転スイッチＯＮ状態で給湯機１を起動してしまうといった危険な状況に陥ることがなく非常に安全となる。
【００３２】
なお、前記制御手段８は本発明の請求項中の復電制御手段および燃焼開始手段の機能を復電制御シーケンスおよび燃焼開始シーケンスとして予めＲＯＭに記憶しているもので、前記無効設定手段１０を無効設定することで復電制御シーケンスにおいてＥＥＰＲＯＭ９に記憶されている停電前の運転スイッチＯＮ／ＯＦＦ状態に関わらず復電時に運転スイッチＯＦＦ状態で給湯機１を起動するようにできればよいものである。また、前記無効設定手段１０を無効設定することでＥＥＰＲＯＭ９に常に運転スイッチＯＦＦ状態を記憶させ、復電時にこのＥＥＰＲＯＭ９に記憶された運転スイッチＯＦＦ状態データを読み出して給湯機１を運転スイッチＯＦＦ状態で起動するようにしてもよいものである。
【００３３】
【発明の効果】
以上のように、請求項１の発明によれば、無効設定手段により、停電後の復電時に停電前の給湯機が運転スイッチＯＮ状態ならば運転スイッチＯＮ状態で給湯機を起動するか、停電前の給湯機が運転スイッチＯＮ状態であっても運転スイッチＯＦＦ状態で給湯機を起動するかを選択して設定でき、地域的な電源の入れ方に関する習慣の違いに対応でき、元電源を直接入切する地域においては電源投入時（復電時）は前回の運転スイッチＯＮ／ＯＦＦ状態に自動的に復帰するようにして使い勝手がよいものすることができ、またその他の地域や運転スイッチＯＮ状態で給湯機を起動することに抵抗感のあるユーザーに対しては、無効設定手段を無効に設定しておくことで復電時に運転スイッチＯＦＦ状態で給湯機を起動させることができると共に、仕様の異なる地域に対応する部品を共用することができコストダウンを計れるものである。
【図面の簡単な説明】
【図１】本発明の一実施形態の概略構成図。
【図２】同一実施形態の作動を示すフローチャート。
【図３】本発明の別実施形態の作動を示すフローチャート。
【符号の説明】
１  給湯機
３  流水スイッチ
４  対震スイッチ（異常検知手段）
６  給湯制御装置
８  制御手段（復電制御手段および燃焼開始手段）
９  ＥＥＰＲＯＭ（メモリ）
１０  無効設定手段
１６  運転スイッチ
【図１】
0003961236.tif 000002
【図２】
0003961236.tif 000003
【図３】
0003961236.tif 000004